(57)【要約】【課題】  従来の方肩掛けベビースリングは装着容易で、装着者と乳幼児のサイズを幅広く使えるが乳幼児股部が固定されず落下の危険性があり、両肩掛け子守帯、ベビーキャリア等では金具が多く装着に不便で、乳幼児の体全体を調整できず、乳幼児の身体に負担がかかるものであった。【解決手段】  乳幼児背中部へ長方形状横幅広の調整布１、１Ａを設けた事により乳幼児の固体に合う様調整でき調整布接続端を補強布乳児股部領域に設けた、空洞部に通るスライド自在な肩ベルト５の末端部６、６Ａの２ヶ所に繋着する事により、乳幼児背中部全体と装着する成人のサイズ調整を同時に行え、乳幼児の股部も固定されている為、安全性、安定性なおかつ装着の簡易性を高め、スライド自在の肩ベルトにより、両肩、方肩掛け両用使用できる。布３枚で構成されているため携帯にも優れている。【選択図】図１
2006192221.tif 000002
【特許請求の範囲】
【請求項１】
布３枚で構成されたベビーキャリアの長方形状横幅広の乳幼児背中部調整布１，１Ａ下部を横一直線に、上部を背中布中心域へ輪状の布製フック兼ストッパーを乳幼児股部をくぐる補強布２へ固着し、一本で構成された肩ベルト５の末端の繋着金具２ヶ所６、６Ａへ接続する事により、乳幼児背中部全体と装着した成人へのサイズ調整を接続ヶ所２ヶ所より同時に行える事を特徴とするスリング式ベビーキャリア。
【請求項２】
布３枚で構成されたベビーキャリアの長方形状横幅広の乳幼児背中部調整布１、１Ａへ上部中心域に３の布製輪状のフックをストッパーとして設けた事により、装着する成人と乳幼児への装着範囲を広げ幅広いサイズに適応できる事を特徴とする請求項１記載のスリング式ベビーキャリア。
【請求項３】
布３枚で構成されたベビーキャリアの長方形状横幅広の乳幼児背中部調整布１、１Ａを設けた事により肩ベルト末端の繋着金具６、６Ａ、２ヶ所へ接続する事で、装着する成人が両側より乳幼児の固体に合わせサイズ調整を行える事を特徴とする請求項１及び請求項２記載のスリング式ベビーキャリア。
【請求項４】
布３枚で構成されたベビーキャリアの肩ベルトがスライド動作を自在になる補強布２の末端部分を折り返し、乳幼児腹部領域へ空洞状になる様、９部を縫い付け縫製した事により両肩、片肩掛けによって使用できる事を特徴とした請求項１及び請求項２及び請求項３記載のスリング式ベビーキャリア。
【発明の詳細な説明】
【技術分野】
【０００１】  本発明は装着する成人と乳幼児のサイズ調整を簡易的にし、なおかつ安全性、安定性の向上を図ったスリング式ベビーキャリアに関する。
【背景技術】
【０００２】  従来の方肩掛けベビースリングは布１枚の接続端を円形の金具へ通す装着が容易に出来るものがある。（例、特許文献１）【０００３】  従来の両肩掛け子守帯ベビーキャリア等は繋着金具として乳幼児を固定する金具と装着する成人へのサイズを調整する金具を設けている。（例、特許文献２）
【特許文献１】  公開番号  特許公開２００３−４７５４２
【特許文献２】  公開番号  特許公開２００１−７０１０７
【発明の開示】
【発明が解決しようとする課題】
【０００４】  以上に述べた方肩掛けベビースリングでは装着が容易で装着する成人と乳幼児の使用範囲も幅広いが乳幼児の股部がしっかりと固定されておらず安定性に欠け、両肩掛けの子守帯、ベビーキャリア等は乳幼児のサイズの調整の幅が狭い物が多く乳幼児の体制に負担がかかり、繋着金具も多く装着に不便な物であった。【０００５】  本発明はこのような従来の構成が有していた問題を解決しようとするものであり、繋着金具の数を減らしなおかつ乳幼児身体の安全性、安定性の向上を目的とするものである。
【課題を解決する為の手段】
【０００６】  そして本発明は上記目的を達成するために乳幼児背部と股部へ補強用の固定布とそれを支える背中部横幅広の調整布２枚を設け、調整布接続端を接続する繋着金具を装着する成人へかかる肩ベルト末端部２ヶ所に設けたものである。
【０００７】  また第２の解決手段として、装着する成人にかかる肩ベルトを上記に述べた乳幼児背部と股部にかかる補強布股部域へ空洞状になるよう縫製し、スライド自在になる方ベルトを通すループを設けたものである。
【０００８】  また第３の解決手段として乳幼児背部に長方形状横幅広の布中央領域にストッパーとして布製フックを設けたものである。
【０００９】  上記第一の課題解決による手段は次の通りである。すなわち乳幼児股部領域に通るスライド自在な一本で構成された肩ベルトの両端の繋着金具へ長方形状横幅広の接続端を接続する事により乳幼児背部全体と装着する成人のサイズ調整を同時に行え、乳幼児股部も固定され乳幼児の落下を防止する事ができる。
【００１０】  また第２の解決手段による作用は肩ベルトの動作をスライド自在にする事により両肩掛けと方肩掛けの両用が可能とする事ができる。
【００１１】  また第３の解決手段による作用は長方形状横幅広の背部布中央領域部分のみ縫い付ける事により、落下防止及び調整範囲を拡大する事ができ、固定する部分を布製の輪状にした布製フックを縫い付け乳幼児の玩具等を取り付ける事が出来る。
【発明の効果】
【００１２】  上述したように本発明のスリング式ベビーキャリアは、装着の手間を軽減すると共に、装着する成人と乳幼児のサイズ調整を同時に、かつ幅広く行えるベビーキャリアを提供できる。
【００１３】  また、乳幼児の背中部全体が調整できる為、乳幼児の成長や固体に合わせ無理の無い体制で保たれ、股部に通る布により、より安全性、安定性を高める効果を発揮するものである。
【００１４】  なおかつ乳幼児股部にかかる肩ベルト一本で構成し、スライド自在にする事により両肩、方肩掛け用に使用可能にした。
【００１５】  そして、布３枚で構成してある事により生産性、携帯性にも優れたものである。
【発明を実施するための最良の形態】
【００１６】  以下、発明の実施の形態を図１〜図６に基づいて説明する。【００１７】  図において１、１Ａは乳幼児背中部調整布で２の補強布へ８部を横一直線へ縫い付け３のストッパー兼フックで固着されている。【００１８】  図において４は、乳幼児腹部領域を通る肩ベルト５のスライド動作を自在にするべく２の補強布末端部布を折り返し９部を横一直線に縫い付け空洞状に縫製されている。【００１９】  図において５肩ベルト末端部へ６、６Ａの円形リング状の金具を２ヶずつ設けている。【００２０】  以下、上記構成の動作を説明する。乳幼児背中部を調整する布１、１Ａの１の接続端部布を６Ａ円形リング状の金具へ折り返し通し、同じく１Ａ接続端部布を６円形リング金具へ折り返し通す事により、乳幼児と装着する成人への連結を同時に可能とし、乳幼児の背中部全体のサイズの調整も行える。【００２１】  また、４部分を空洞状にする事により、５肩ベルトのスライド動作を自在とし、装着する成人が両肩、方肩掛けの両用で使用する事ができる。【００２２】  また、１、１Ａ乳幼児背中部調整布上部中央領域へ３の輪状に縫製した、フック状のストッパーを縫い付ける事により９の縫い付け部と共に２の補強布へ固着されより安全性、安定性の向上が得られ、１、１Ａ長方形状横幅広の上部の調整部の範囲が広く設けられ、調整範囲の拡大にも効果を成している。【００２３】  また２の乳幼児補強布を乳幼児股部に潜る様構成し、落下防止の効果も発揮する。【００２５】  また７、７Ａのカバーとなる布を６、６Ａを包む様縫い付ける事で乳幼児へ金具が直接当たらぬ様にし危険防止にも効果を成している。
【図面の簡単な説明】
【００２６】
【図１】  本発明の同体部、肩ベルト離脱時正面図
【図２】  本発明の胴体部、肩ベルト同着時後面図
【図３】  本発明の胴体部、肩ベルト同着時正面図
【図４】  本発明の乳幼児、装着時、股部構成図
【図５Ａ】  本発明の装着する成人と乳幼児の両肩掛け装着時、正面図
【図５Ｂ】  本発明の装着する成人と乳幼児の両肩掛け装着時、横面図
【図５Ｃ】  本発明の装着する成人と乳幼児の両肩掛け装着時、後面図
【図６Ａ】  本発明の装着する成人と乳幼児の方肩掛け装着時、正面図
【図６Ｂ】  本発明の装着する成人と乳幼児の方肩掛け装着時、後面図
【符号の説明】
【００２７】１、１Ａ  乳児背中部調整布
２  乳児補強用布
３  ストッパー兼フック
４  肩ベルト通し
７、７Ａ  円形金具  カバー
【図１】
2006192221.tif 000003
【図２】
2006192221.tif 000004
【図３】
2006192221.tif 000005
【図４】
2006192221.tif 000006
【図５Ａ】
2006192221.tif 000007
【図５Ｂ】
2006192221.tif 000008
【図５Ｃ】
2006192221.tif 000009
【図６Ａ】
2006192221.tif 000010
【図６Ｂ】
2006192221.tif 000011